(57)【特許請求の範囲】
【請求項１】
ユニット式建物の天井面を形成する天井面材と、該天井面材の上に架設された複数本の梁材と、該複数本の梁材の上に当該梁材を横切るように配設された空調ダクトと、を有する建物ユニットを建築現場へ運搬するときに用いられ、前記空調ダクトを前記梁材に仮止めする空調ダクト仮止用治具であって、
高さ方向に沿った断面形状が下方へ向かって開いた凹形状に形成され、内側を前記空調ダクトが通過するホルダ部と、
前記ホルダ部の両端部にそれぞれ設けられ、前記梁材に上方から載置されると、前記梁材に上側から跨った状態となって着脱可能に装着される連結部と、を有し、
前記連結部には、前記梁材に装着された状態で前記梁材の上端面に当接し、その幅が前記梁材の幅と略等しくされた当接片及び、該当接片における両端部からそれぞれ下方へ延出する一対の挟持片が一体的に形成されており、前記一対の挟持片は、奥行方向に沿った対向間隔が先端側で前記梁材の幅よりもわずかに狭くされ、奥行方向に沿って撓み変形可能とされることにより、前記梁材を、その長手直角方向に沿って外側から挟持するように形成されていることを特徴とする空調ダクト仮止用治具。
【請求項２】
前記ホルダ部及び前記連結部は、１枚の金属板が曲げ加工されて形成されたことを特徴とする請求項１記載の空調ダクト仮止用治具。
【請求項３】
請求項１又は２記載の空調ダクト仮止用治具を用いた建物ユニットの運搬方法であって、
前記梁材の上に配置された前記空調ダクトを前記ホルダ部で保持すると共に、一対の前記連結部を前記梁材に着脱可能に装着して、前記仮止用治具により前記空調ダクトを前記梁材の上に仮止した後、前記建物ユニットを前記ユニット式建物の建築現場まで運搬することを特徴とする建物ユニットの運搬方法。
【発明の詳細な説明】
【技術分野】
【０００１】
本発明は、天井面材上に空調ダクトが配置される建物ユニットに適用され、天井面材上に配置された空調ダクトを仮止めするために用いられる空調ダクト仮止用治具及び建物ユニットの運搬方法に関する。
【背景技術】
【０００２】
住宅用の建物としては、予め工場で生産される複数個の建物ユニットを建築現場で組み合わせて建てられるユニット式建物がある。建物ユニットは、外壁、内壁、天井面材、床面材等の構成部材が、可能な限り工場で組み付けられた後、工場から建築現場へトラック等で搬出される。このような建物ユニットに工場で取り付けられる部材のひとつとしては、例えば、空調用の排気ダクト、給気ダクト及び給排気ダクト（以下、これらを包括して表す場合には「空調ダクト」という。）がある。この空調ダクトは、例えば、可撓性を有するパイプ状に形成されており、建物ユニットにおける天井面材上に配置される。
【０００３】
建築現場では、複数の建物ユニットを互いに連結する際に、それらの建物ユニットにそれぞれ配置された空調ダクトの間をジョイント部材等により接続すると共に、空調ダクトの一端をセントラル換気装置の装置本体に接続するだけで、建築現場における空調設備のダクト工事が基本的に完了する。これにより、従来工法の建物と比較し、ダクト工事に要する作業量及びコストを大幅に削減できる。
【０００４】
上記のように、工場で空調ダクトが組み付けられる建物ユニットとしては、例えば、特許文献１に記載されたものが知られている。特許文献１の建物ユニットでは、空調ダクトが天井面材上における所定の位置に配置されると共に、この空調ダクトが天井面材を支持した複数本の天井小梁に取付金具により固定される。取付金具は、細長い樹脂プレートが全体として略Ｕ字状に湾曲されて形成されており、その両端部にそれぞれ外側へ延出するフランジ部が一体的に形成されている。
【０００５】
上記取付金具は、その内側に空調ダクトを保持した状態で、一対のフランジ部がそれぞれ天井小梁に釘、木ネジ等により固定される。これにより、天井面材上に配置された空調ダクトの移動が拘束され、建物ユニットが工場から建築現場まで運搬される際に、空調ダクトが天井面材上における所定の設置位置から移動することが防止される。
また、建築現場で建物ユニットを組付ける作業時には、目地処理その他で建物ユニットの天井面材上で作業員が作業することがあるので、建物ユニットは、工場にて天井小梁上にベニヤ板等の仮設の足場板が敷き詰められた状態とされ、建築現場へ搬出される。これにより、建築作業時に、建物ユニットの天井面材上で作業員が作業をしても、作業員の体重等の荷重が足場板及び取付金具を介して天井小梁へ伝達されるので、空調ダクトに直接、上方から圧縮荷重が掛からなくなり、空調ダクトに潰れ等の損傷が生じることが防止される。
【特許文献１】特開平１１−１０１４９６号公報
【発明の開示】
【発明が解決しようとする課題】
【０００６】
しかしながら、特許文献１の建物ユニットでは、空調ダクトが天井面材上で天井小梁を横断する箇所があると、基本的に、それらの箇所の全てで、取付金具を天井小梁に釘、木ネジ等により固定しなければならず、工場での取付金具の固定作業が煩雑である、という問題がある。
また、建築途中のユニット式建物では、建物ユニット間の連結が完了し、それらの建物ユニット上に載置されていた足場板が撤去されると、下層階の建物ユニット上に上層階の建物ユニット又は屋根が積載される。この状態では、天井小梁上の空調ダクトに直接、外部荷重が作用しないことから、外部からの荷重により空調ダクトが天井面材上で移動したり、損傷することもないので、天井小梁に固定された取付金具は機能的には不要なものになる。
【０００７】
上記のような建築現場では、コスト削減のため、ユニット式建物の機能及び品質に影響を与えない部材を、可能なかぎり建物ユニットから回収することが求められているが、その作業時間に制約があり、釘等で固定された取付金具を天井小梁から取外す作業も煩雑であるため、取付金具を建物ユニットから回収することは現実的には困難である。
本発明の目的は、上記事実を考慮し、運搬時及び建築作業時に天井面材上に配置された空調ダクトが移動及び損傷することを防止でき、しかも建物ユニットに対する組付作業及び回収作業を簡単に行える空調ダクト仮止用治具及び建物ユニットの運搬方法を提供することにある。
【課題を解決するための手段】
【０００８】
本発明の請求項１に係る空調ダクト仮止用治具は、ユニット式建物の天井面を形成する天井面材と、該天井面材の上に架設された複数本の梁材と、該複数本の梁材の上に当該梁材を横切るように配設された空調ダクトと、を有する建物ユニットを建築現場へ運搬するときに用いられ、前記空調ダクトを前記梁材に仮止めする空調ダクト仮止用治具であって、高さ方向に沿った断面形状が下方へ向かって開いた凹形状に形成され、内側を前記空調ダクトが通過するホルダ部と、前記ホルダ部の両端部にそれぞれ設けられ、前記梁材に上方から載置されると、前記梁材に上側から跨った状態となって着脱可能に装着される連結部と、を有し、前記連結部には、前記梁材に装着された状態で前記梁材の上端面に当接し、その幅が前記梁材の幅と略等しくされた当接片及び、該当接片における両端部からそれぞれ下方へ延出する一対の挟持片が一体的に形成されており、前記一対の挟持片は、奥行方向に沿った対向間隔が先端側で前記梁材の幅よりもわずかに狭くされ、奥行方向に沿って撓み変形可能とされることにより、前記梁材を、その長手直角方向に沿って外側から挟持するように形成されていることを特徴とする。
【０００９】
上記構成の空調ダクト仮止用治具は、一対の連結部が建物ユニットにおける梁材上に載置されて着脱可能に装着されると、ホルダ部が一対の連結部を介してその内側を通過する空調ダクトを梁材上に仮止めすると共に、上方からの圧縮荷重を、空調ダクトを迂回して梁材に伝達可能になる。これにより、梁材上でホルダ部の内側に空調ダクトを挿通させると共に、一対の連結部を建物ユニットにおける梁材上に載置するだけで、空調ダクトを梁材に仮止めすると共に、上方からの圧縮荷重を、空調ダクトを迂回して、すなわち圧縮荷重を空調ダクトに伝達することなく、梁材に伝達可能になるので、建物ユニットの運搬時及び建築作業時に、空調ダクトに荷重や振動が作用しても、空調ダクトが梁材上で移動することを防止できると共に、上方からの圧縮荷重により空調ダクトに潰れ等の損傷が生じることを防止できる。
また、上記構成の空調ダクト仮止用治具は、一対の連結部を梁材上に載置するだけで、梁材に着脱可能に装着できるので、建物ユニット（梁材）に対する組付作業を簡単に行え、また一対の連結部を梁材上から上方へ離脱させるだけで、建物ユニットから分離できるので、建物ユニットからの回収も簡単に行える。
【００１１】
上記構成の空調ダクト仮止用治具では、連結部に、梁材に装着された状態で、梁材の上端面に当接する当接片及び、この当接片における両端部からそれぞれ下方へ延出し、梁材を長手直角方向に沿って挟持する一対の挟持片が一体的に形成されていることにより、当接片によりホルダ部を高さ方向に沿って所定の位置に位置決めしつつ、このホルダ部が梁材上で移動することを拘束できるので、ホルダ部の内側を通過した空調ダクトが高さ方向及び梁材の長手方向に沿って移動することを抑止できる。
また、仮止治具が梁材に装着された状態で、その連結部は当接片を梁材の上端面に当接させると共に、一対の挟持片により梁材を挟持しているだけなので、仮止治具を建物ユニットから回収する際には、仮止治具を梁材上から上方へ持ち上げるだけで、梁材から離脱させて建物ユニットから回収することができる。
【００１２】
また本発明の請求項２に係る空調ダクト仮止用治具は、請求項１記載の空調ダクト仮止用治具において、前記ホルダ部及び前記連結部は、１枚の金属板が曲げ加工されて形成されたことを特徴とする。
上記構成の空調ダクト仮止用治具では、ホルダ部及び一対の連結部が１枚の金属板が曲げ加工されて成形されていることにより、所定の形状に予め成形された金属板に対してプレス加工等の曲げ加工を行うだけで、ホルダ部及び一対の連結部を形成できるので、ホルダ部及び一対の連結部を有する仮止治具を低コスト、かつ簡単に製造することができる。
【００１４】
また本発明の請求項３に係る建物ユニットの運搬方法は、請求項１又は２記載の空調ダクト仮止用治具を用いた建物ユニットの運搬方法であって、前記天井面材上に配置され、前記梁材の上側を跨った空調ダクトを前記ホルダ部の内側を通過させると共に、一対の前記連結部を前記梁材に着脱可能に装着して、前記仮止治具により前記空調ダクトを前記天井面材上で前記梁材に仮止めした後、前記仮止治具により前記空調ダクトが仮止めされた建物ユニットを、該建物ユニットにより少なくとも一部が構成されるユニット式建物の建築現場まで運搬することを特徴とする。
【発明の効果】
【００１５】
以上に説明したように、本発明に係る敷設部材の仮止治具及び建物ユニットの運搬方法によれば、運搬時及び建築作業時に天井面材上に配置された敷設部材が移動及び損傷することを防止でき、しかも建物ユニットに対する組付作業及び回収作業を簡単に行える。
【発明を実施するための最良の形態】
【００１６】
以下、本発明の実施形態に係る敷設部材の仮止治具及び、この仮止治具が適用可能なユニット式建物について図面を参照して説明する。
図１には本発明の実施形態に係るユニット式建物が側面断面図により示され、図２には、図１に示されるユニット式建物を構成する建物ユニットの一例が斜視図により示されている。本実施形態に係るユニット式建物１０は、建物の内部の空調によるエネルギー損失を少なくするために、室内の気密性および断熱性を高くした高気密及び高断熱建物として構成されている。ユニット式建物１０は、基礎１２上に設けられた建物本体１４と、この建物本体１４上に配置された屋根１６とを備えている。
【００１７】
建物本体１４は、基礎１２上に設置され、下層階（１階部）を構成する複数個の建物ユニット１８と、これらの建物ユニット１８、２０上に設置され、上層階（２階部）を構成する複数個の建物ユニット２０を備えている。建物本体１４には、１階部の天井面と２階部の床面との間に天井裏空間２２が形成されると共に、２階部の天上面と屋根１６との間に屋根裏空間２４が形成されている。これらの天井裏空間２２と屋根裏空間２４には、それぞれ後述するセントラル換気装置を構成する換気装置本体２６及び空調ダクト２８が配置される。
【００１８】
図２に示されるように、建物ユニット１８、２０はそれぞれ略直方体状のフレーム体３０を備えており、このフレーム体３０には、四隅にそれぞれ立設された柱３２と、これら４本の柱３２の上端部同士を結合する長短の上梁３４、３６と、４本の柱３２の下端部同士を結合する長短の下梁３８、４０とが設けられている。
なお、以下の記載では、長辺側の上梁３４及び下梁３８の長手に沿った方向を建物ユニット１８、２０の奥行方向（図２の矢印Ｄ方向）、短辺側の上梁３６及び下梁４０の長手に沿った方向を建物ユニット１８、２０の幅方向（図２の矢印Ｗ方向）、柱３２の長手に沿った方向を建物ユニット１８、２０の高さ方向（図２の矢印Ｈ方向）として説明を行う。
【００１９】
一対の上梁３４の間には、複数本の天井小梁４２が架渡されており、これらの天井小梁４２は、奥行方向に沿って略等ピッチで配列されると共に、それぞれ幅方向Ｗに沿って直線的に延在している。これら天井小梁４２の下面側には、天井面材４４が取り付けられている。この天井面材４４は複数本の天井小梁４２により上側（裏面側）から支持されている。また一対の下梁３８の間には複数本の床根太４６が架渡されており、これらの床根太４６は、それぞれ幅方向Ｗに沿って直線的に延在している。これら床根太４６の上面側には床面材４８が取り付けられており、床面材４８は複数本の床根太４６により下側（裏面側）から支持されている。また建物ユニット１８、２０には、４個の側面部うち、少なくとも１個の側面部にはプレート状の外壁パネル７８（図７参照）が取り付けられ、この外壁パネル７８は、柱３２、上梁３４、３６及び下梁３８、４０により室内側から支持される。
【００２０】
図２及び図３に示されるように、建物ユニット１８、２０には、天井面材４４の上側に１本乃至複数本の空調ダクト２８が配置されている。空調ダクト２８は、例えば、補強用の金属線及び樹脂材料を素材として薄肉パイプ状に形成されており、長手方向に沿って可撓性を有すると共に、若干の伸縮性を有している。また建物ユニット１８、２０では、空調ダクト２８が可能な限り奥行方向Ｄに沿って延在するようにレイアウトされており、空調ダクト２８の奥行方向Ｄに沿って延在する部分は略一定の間隔（＝天井小梁４２の奥行方向Ｄに沿ったピッチ）毎に天井小梁４２上を通過する。これにより、空調ダクト２８の重さにより生じる荷重（重量）の大部分を複数本の天井小梁４２により分散して支持し、空調ダクト２８から天井面材４４に直接作用する重量を小さくできるので、空調ダクト２８の重量により天井面材４４に経時的に変形等が生じることが防止されている。
【００２１】
建物ユニット１８、２０の組立工程（工場）では、例えば、図４に示されるように、上梁３４、３６、天井小梁４２及び天井面材４４を予め天井パネル５０として組立て、この天井パネル５０の天井面材４４上に空調ダクト２８を組付けた後、天井パネル５０（上梁３４、３６）の四隅部を４本の柱３２の上端部にそれぞれ連結金具等を介して連結する。これにより、建物ユニット１８、２０におけるフレーム体３０及び天井部分が完成する。
【００２２】
天井パネル５０には、一対の天井小梁４２の間に天井面材４４を貫通する吹出口５２が設けられており、この吹出口５２には空調ダクト２８の先端部が接続可能とされている。また、天井パネル５０には、その上梁３４、３６（図４では、短辺側の上梁３６）に少なくとも１個の配管穴５４が穿設されており、この配管穴５４は、空調ダクト２８及び、一対の空調ダクト２８同士を接続するジョイント部材５６（図７参照）が挿通可能とされている。これにより、建築現場にて、互いに隣接する建物ユニット１８、２０の一方に配置された空調ダクト２８の先端部を、配管穴５４を通して他方の建物ユニット１８、２０上へ送り出すことが可能になる。
【００２３】
また工場では、天井パネル５０の組立及び空調ダクト２８の組付完了後に、図３に示されるように、天井小梁４２上に複数枚の足場板９０が敷き詰められ、これらの足場板９０により建物ユニット１８、２０の上面側が覆われる。この足場板９０としては、例えば、ベニヤ板が用いられる。
天井パネル５０に空調ダクト２８を組付ける際には、所定の長さを有する空調ダクト２８を所定本数（図４では、１本）天井面材４４上に載置し、この空調ダクト２８の両端部がそれぞれ吹出口５２及び配管穴５４と略一致するように位置決めする。このとき、空調ダクト２８は、複数本（図４では、４本）の天井小梁４２上を横断する。
【００２４】
次いで、空調ダクト２８の先端部を吹出口５２に接続すると共に、空調ダクト２８における天井小梁４２上に位置する部位をそれぞれ天井小梁４２に仮止治具６０により仮止めする。
仮止治具６０は、鉄、アルミ、ステンレス等からなる細長い金属板により形成されており、図６（Ａ）に示されるように、その長手方向中間部に高さ方向Ｈに沿った断面形状が下方へ向かって開いた略コ字状とされたホルダ部６２が形成されている。これにより、ホルダ部６２には、その内側に幅方向に沿った断面が略矩形状の空間が形成される。この空間の高さ方向Ｈ及び幅方向Ｈに沿った寸法は、それぞれ空調ダクト２８の直径よりも僅かに長くなっている。
【００２５】
仮止治具６０には、ホルダ部６２の長手方向に沿った両側の端部（下端部）からそれぞれ外側へ向かって延出する連結部６４が形成されている。この連結部６４には、ホルダ部６２の下端部から幅方向Ｗに沿って外側へ延出する矩形状の当接片６６が形成されると共に、この当接片６６の奥行方向Ｄに沿った両端部からそれぞれ下方へ延出する矩形状の挟持片６８が形成されている。当接片６６は、その奥行方向Ｄに沿った幅が天井小梁４２の幅と略等しくなっている。また一対の挟持片６８の奥行方向Ｄに沿った間隔は、少なくとも先端側で、天井小梁４２の幅よりも僅かに狭くなっており、奥行方向Ｄに沿って撓み変形可能とされている。
【００２６】
仮止治具６０により空調ダクト２８を天井小梁４２に仮止めする際には、図６（Ａ）に示されるように、仮止治具６０を、空調ダクト２８が天井小梁４２を横断した部位の上方で、仮止治具６０の長手方向が天井小梁４２の長手方向と一致し、かつ仮止治具６０が空調ダクト２８と天井小梁４２との交差部の真上に位置するように位置決めした後、図６（Ｂ）に示されるように、空調ダクト２８の外周側にホルダ部６２を嵌挿すると共に、一対の連結部６４をそれぞれ天井小梁４２上に載置する。このとき、連結部６４の当接片６６を天井小梁４２の上端面へ当接させると共に、一対の挟持片６８により天井小梁４２を外側から挟持する。これにより、仮止治具６０が天井小梁４２に着脱可能に装着され、ホルダ部６２の内側を空調ダクト２８が通過した状態となる。
【００２７】
ここで、一対の挟持片６８の少なくとも先端側の間隔が天井小梁４２の幅よりも僅かに狭くなっていることから、一対の挟持片６８により天井小梁４２を挟持する際には、一対の挟持片６８をそれぞれ外側へ僅かに撓み変形させつつ、天井小梁４２の外側へ差し込む必要がある。これにより、天井小梁４２を挟持した一対の挟持片６８は、その復元力を挟持力として天井小梁４２に対して作用させるので、天井小梁４２に装着された仮止治具６０が高さ方向Ｈ及び幅方向Ｗに沿って移動することが阻止される。なお、一対の挟持片６８を天井小梁４２の外側へ差し込む作業を容易にするため、一対の挟持片６８の先端部にそれぞれ外側へ傾斜した屈曲部（テーパ部）を形成しても良い。
【００２８】
本実施形態に係る仮止治具６０は、予め、図６（Ｃ）に示されるような形状に加工（例えば、打抜加工）された金属板７０をプレス装置等の曲げ加工装置により二点鎖線Ｌ１〜Ｌ３に沿って屈曲することにより成形されている。なお、金属板７０のホルダ部６２に相当する部分（Ｌ２〜Ｌ２の部分）については、上方からの荷重に対する剛性を高めるために、金属板７０に長手方向に沿って延在する凹又は凸状のリブをプレス等により形成しても良い。
【００２９】
図５に示されるように、天井パネル５０には、空調ダクト２８が複数本の天井小梁４２を横断していると、それら全ての天井小梁４２と空調ダクト２８との交差部に仮止治具６０が装着される。従って、空調ダクト２８は、互いに隣接する一対の天井小梁４２間の間隔（１ピッチ）に相当する一定の長さ毎に、仮止治具６０により天井小梁４２に連結され、仮止めされる。
【００３０】
図１に示されるように、ユニット式建物１０では、１階部と２階部との間に形成された天井裏空間２２及び、２階部と屋根１６との間に形成された屋根裏空間２４にそれぞれ換気装置本体２６が設置されている。この換気装置本体２６は、通常、ユニット式建物１０の外壁の近くに配置され、ブラケット（図示省略）を介して建物ユニット１８、２０の天井小梁４２に連結固定されている。
【００３１】
図７の平面図には、屋根裏空間２４に配置された換気装置本体２６及び、この換気装置本体２６に接続された空調ダクト２８、吸気ダクト７２及び排気ダクト７４がそれぞれ示されている。この図７に示されるように、換気装置本体２６には、外壁パネル７８側に延びる吸気ダクト７２及び排気ダクト７４が接続されており、これらのダクト７２、７４の先端部は、外壁パネル７８に固定されたベントキャップ７６に接続されている。なお、吸気ダクト７２及び排気ダクト７４についても、天井面材４４上で天井小梁４２上を横断して場合には、それらの横断部が仮止治具６０により天井小梁４２に仮止めされる。
【００３２】
図７に示されるように、屋根裏空間２４に配置された換気装置本体２６は、２階部を構成する各建物ユニット２０（図７では、これらを建物ユニット２０Ａ〜２０Ｆとして表す。）に配置された空調ダクト２８及び、吹出口５２を通して屋内空間における複数箇所に連通している。具体的には、換気装置本体２６には、建物ユニット２０Ｂに配置された３本の空調ダクト２８がそれぞれ接続されており、これら３本の空調ダクト２８は、それぞれ他の建物ユニット２０Ａ、２０Ｃ、２０Ｄ、２０Ｅ、２０Ｆに配置された1本乃至２本の空調ダクト２８を通して吹出口５２に接続されている。
ユニット式建物１０の２階部では、吹出口５２が建物ユニット２０Ｄ、２０Ｆに跨る洋室８０の２個のクローゼット８２Ａ、８２Ｂにそれぞれ配置されると共に、建物ユニット２０Ｃ、２０Ｅに跨る洋室８４用のクローゼット８６に配置されている。
【００３３】
建築現場では、２階部を構成する建物ユニット２０Ａ〜２０Ｆ間の連結が完了した後、隣接する建物ユニット２０にそれぞれ配置された空調ダクト２８同士をジョイント部材５６により接続し、これにより、空調ダクト２８を換気装置本体２６から吹出口５２まで延長する。互いに隣接する一対の建物ユニット２０間では、一方の建物ユニット２０上の空調ダクト２８を、一対の建物ユニット２０にそれぞれ形成された配管穴５４を通して他方の建物ユニット２０上まで延出させた後、この空調ダクト２８の先端部を、ジョイント部材５６により他方の建物ユニット２０の空調ダクト２８に接続する。このような作業は、建築現場の作業員により建物ユニット２０Ａ〜２０Ｆ上に敷き詰められた複数枚の足場板９０間の隙間を通して行われる。
【００３４】
なお、1階部を構成する複数個の建物ユニット１８上にそれぞれ配置された空調ダクト２８間の接続作業についても、２階部の建物ユニット２０Ａ〜２０Ｆ上に配置された空調ダクト２８と同様な方法で行われることから、その作業方法についての説明を省略する。
建築現場では、１階部を構成する複数個の建物ユニット１８間の連結が完了し、これらの上に建物ユニット２０Ａ〜２０Ｆを設置する直前に、複数個の建物ユニット１８上に敷き詰められた足場板９０を剥がして回収すると共に、空調ダクト２８の天井小梁４２との横断部に装着された仮止治具６０を天井小梁４２から離脱させて回収する。これにより、仮止治具６０により天井小梁４２に仮止めされていた空調ダクト２８が移動可能な状態になるが、天井面材４４上に２階部が設置された状態では、空調ダクト２８には、基本的に外部荷重が作用しなくなるので、外部荷重により空調ダクト２８が天井面材４４上で移動したり、空調ダクト２８に損傷が生じることもない。
【００３５】
また建築現場では、２階部を構成する複数個の建物ユニット２０Ａ〜２０Ｆ間の連結が完了し、これらの上に屋根１６を設置する直前に、１階部上に２階部（建物ユニット２０Ａ〜２０Ｆ）を設置する場合と同様に、建物ユニット２０Ａ〜２０Ｆ上に敷き詰められた足場板９０を剥がして回収すると共に、空調ダクト２８の天井小梁４２との横断部に装着された仮止治具６０を天井小梁４２から離脱させて回収する。この場合も、２階部上に屋根１６が設置されてしまえば、建物ユニット２０Ａ〜２０Ｆ上に配置された空調ダクト２８には、基本的に外部荷重が作用しなくなるので、外部荷重により空調ダクト２８が天井面材４４上で移動したり、空調ダクト２８に損傷が生じることもない。
【００３６】
次に、上記のように構成された本実施形態に係る空調ダクト２８の仮止治具６０の作用及び効果について説明する。
仮止治具６０は、建物ユニット１８、２０における天井小梁４２上に載置され、この天井小梁４２に着脱可能に装着されると、一対の連結部６４を介して、ホルダ部６２が内側を通過する空調ダクト２８を天井小梁４２上に仮止めすると共に、上方からの圧縮荷重を、空調ダクト２８を迂回して天井小梁４２に伝達可能になる。
【００３７】
これにより、天井小梁４２上でホルダ部６２の内側に空調ダクト２８を挿通させると共に、一対の連結部６４を建物ユニット１８、２０における天井小梁４２上に載置するだけで、空調ダクト２８を天井小梁４２に仮止めすると共に、上方からの圧縮荷重を、空調ダクト２８を迂回して、すなわち圧縮荷重を空調ダクト２８に伝達することなく、天井小梁４２に伝達可能になるので、建物ユニット１８、２０の運搬時及び建築作業時に、空調ダクト２８に荷重や振動が作用しても、空調ダクト２８が天井小梁４２上で移動することを防止できると共に、上部からの圧縮荷重により空調ダクト２８に潰れ等の損傷が生じることを防止できる。
【００３８】
また仮止治具６０は、一対の連結部６４をそれぞれ天井小梁４２上に載置するだけで、天井小梁４２に着脱可能に装着できるので、建物ユニット１８、２０に対する組付作業を簡単に行える。このとき、連結部６４は、当接片６６を天井小梁４２の上端面に当接させると共に、一対の挟持片６８により天井小梁４２の両端面を加圧状態で挟持しているだけなので、仮止治具６０を建物ユニット１８、２０から回収する際には、作業員が一対の挟持片６８の挟持力に抗して、仮止治具６０を天井小梁４２上から上方へ持ち上げれば、仮止治具６０を天井小梁４２から離脱させて、建物ユニット１８、２０から回収することができる。
【００３９】
また仮止治具６０は、ホルダ部６２及び一対の連結部６４が１枚の金属板７０が曲げ加工されて形成されていることにより、予め所定の形状に成形された金属板７０を曲げ加工するだけで、ホルダ部６２及び一対の連結部６４を形成できるので、ホルダ部６２及び一対の連結部６４を有する仮止治具６０を低コスト、かつ簡単に製造することができる。
なお、本実施形態に係る仮止治具６０では、ホルダ部６２の高さ方向に沿った断面形状が下方へ向かって開いた略コ字状に形成されていたが、このようなホルダ部６２の断面形状は、このコ字状に限定されるものではない。すなわち、ホルダ部６２は、その内側を円筒状の空調ダクト２８が通過可能であると共に、内側を通過した空調ダクト２８が移動することを拘束できるような下方へ向かって開いた凹形状であれば良く、コ字状以外にも、例えば、下方へ向かって開いた略Ｕ字状、略Ｖ字状、半円形状等の他の断面形状であっても良い。
【００４０】
また、本実施形態に係る仮止治具６０は、建物ユニット１８、２０の天井面材４４上に配置された空調ダクト２８を天井小梁４２に仮止めするためのものであるが、空調ダクト２８以外にも、例えば、内部を電線、通信ケーブル、光ファイバ等が挿通するスリーブ等の各種の敷設部材を天井小梁４２に仮止めするために用いても良い。そして、このような敷設部材を天井小梁４２に仮止めするために仮止治具６０を用いることにより、空調ダクト２８に用いた場合と同様に、建物ユニット１８、２０の運搬時及び建築作業時に天井面材４４上に配置された敷設部材が移動及び損傷することを防止でき、しかも仮止治具６０の建物ユニット１８、２０に対する組付作業及び回収作業も簡単に行える。
【図面の簡単な説明】
【００４１】
【図１】発明の実施形態に係るユニット式建物の構成を示す側面断面図である。
【図２】図１に示されるユニット式建物における建物ユニットの構成を示す斜視図である。
【図３】図２に示される建物ユニットにおける天井パネル及びセントラル換気装置の構成を示す側面断面図である。
【図４】図２に示される建物ユニットにおける天井パネル及び空調ダクトの構成を示す斜視図である。
【図５】図１に示されるユニット式建物における１階部及びセントラル換気装置の構成を示す側面断面図である。
【図６】（Ａ）は天井小梁を横断する空調ダクト及び仮止治具を示す斜視図であり、仮止治具が天井小梁に装着される前の状態を示している。（Ｂ）は天井小梁を横断する空調ダクト及び仮止治具を示す斜視図であり、仮止治具が天井小梁に装着された状態を示している。（Ｃ）は仮止治具の素材となる金属板を示す平面図である。
【図７】図１に示されるユニット式建物における１階部及びセントラル換気装置の構成を示す平面図である。
【符号の説明】
【００４２】
１０      ユニット式建物
１２      基礎
１４      建物本体
１６      屋根
１８、２０、２０Ａ、２０Ｂ、２０Ｃ、２０Ｄ、２０Ｅ  建物ユニット
２２      天井裏空間
２４      屋根裏空間
２６      換気装置本体
２８      空調ダクト
３０      フレーム体
３２      柱
３４、３６      上梁
３８、４０      下梁
４２      天井小梁
４４      天井面材
４６      床根太
４８      床面材
５０      天井パネル
５２      吹出口
５４      配管穴
５６      ジョイント部材
６０      仮止治具
６２      ホルダ部
６４      連結部
６６      当接片
６８      挟持片
７０      金属板
７２      吸気ダクト
７４      排気ダクト
７６      ベントキャップ
７８      外壁パネル
９０      足場板
【図１】
0005275670.tif 000002
【図２】
0005275670.tif 000003
【図３】
0005275670.tif 000004
【図４】
0005275670.tif 000005
【図５】
0005275670.tif 000006
【図６】
0005275670.tif 000007
【図７】
0005275670.tif 000008